(57)【特許請求の範囲】
【請求項１】
プラントを計算機を用いて監視するプラント監視装置において、
仕様書の雛型に埋め込まれたカスタマイズ項目にデータを入力するためのカスタマイズ入力用画面の画面データを作成するカスタマイズ設定画面作成手段と、
前記カスタマイズ設定画面作成手段で作成された画面データを用いて表示装置に前記カスタマイズ入力用画面を表示し、前記カスタマイズ入力用画面のカスタマイズ項目が選択入力であるときは予め定義した選択データを選択し、前記カスタマイズ項目が文字列入力であるときは文字列を入力して仕様書データとカスタマイズデータとを作成するカスタマイズ設定手段とを備えたことを特徴とするプラント監視装置。
【請求項２】
前記カスタマイズ設定手段で作成した今回作成した仕様書データ及びカスタマイズデータと、前回作成した仕様書データ及びカスタマイズデータとを比較し、変更箇所や変更理由を履歴として管理する変更管理手段を備えたことを特徴とする請求項１記載のプラント監視装置。
【請求項３】
前記カスタマイズ設定手段で前記カスタマイズ項目を選択する際に、選択されたカスタマイズ項目に応じて予め記憶された前記選択データの試験方案データを試験方案に埋め込み、試験方案を作成する試験方案作成手段を備えたことを特徴とする請求項１または２記載のプラント監視装置。
【請求項４】
前記カスタマイズ設定手段で選択／入力したカスタマイズ項目が予め定めた設定適合条件に適合しているか否かを確認するカスタマイズ設定適合確認手段を設けたことを特徴とする請求項１乃至３のいずれか１項記載のプラント監視装置。
【請求項５】
プラントを計算機を用いて監視するプラント監視装置と、
カスタマイズ入力用画面を用いてカスタマイズ項目を選択／入力して仕様書データとカスタマイズデータとを作成するカスタマイズ装置と、
前記カスタマイズ装置で作成したカスタマイズデータを前記プラント監視装置へ配信するカスタマイズデータ配信手段とを備え、
前記カスタマイズ装置は、仕様書の雛型に埋め込まれたカスタマイズ項目にデータを入力するためのカスタマイズ入力用画面の画面データを作成するカスタマイズ設定画面作成手段と、前記カスタマイズ設定画面作成手段で作成された画面データを用いて表示装置に前記カスタマイズ入力用画面を表示し、前記カスタマイズ入力用画面のカスタマイズ項目が選択入力であるときは予め定義した選択データを選択し、前記カスタマイズ項目が文字列入力であるときは文字列を入力して仕様書データとカスタマイズデータとを作成するカスタマイズ設定手段とを備えたことを特徴とするプラント監視システム。
【請求項６】
前記プラント監視装置に投入されているソフトウェアが前記カスタマイズ装置で作成したカスタマイズデータを正しく読み込めるソフトウェアであるかどうかを確認し、正しく読み込めるときは前記カスタマイズ装置で作成したカスタマイズデータの配信を許可するカスタマイズデータ配信可否チェック手段を備えたことを特徴とする請求項５記載のプラント監視システム。
【請求項７】
前記プラント監視装置にあるカスタマイズデータを前記カスタマイズ装置の方へ収集するカスタマイズデータ採取手段と、前記カスタマイズ装置に設けられ前記カスタマイズデータ採取手段で採取したカスタマイズデータを仕様書の雛型に埋め込まれたカスタマイズ項目に入力して仕様書データを逆生成する仕様書逆生成手段とを備えたことを特徴とする請求項５記載のプラント監視システム。
【発明の詳細な説明】
【技術分野】
【０００１】
本発明は、プラントを計算機を用いて監視するプラント監視装置及びプラント監視システムに関する。
【背景技術】
【０００２】
例えば、発電プラントのような大規模なプラントでは、プラントの監視は計算機によりプラントのプロセスデータを入力処理して監視するようにしている。そのようなプラント監視装置においては、プラント毎の機能の差異をデータによって吸収可能なようにソフトウェアの標準化が図られている。これは、ソフトウェアの標準化によって開発量の削減や保守対象のソフトウェア量を削減するためである。
【０００３】
ここで、プラント毎の機能の差異を吸収するためのデータはカスタマイズデータと呼ばれるが、このカスタマイズデータを変更することによりプラント毎の機能の差異を吸収するようにしている。
【０００４】
ここで、標準ソフトウェアをプログラム単位で管理し、指定されたプラント仕様に応じて、対応するプログラムファイルを要求先に一括してリリースするようにしたものがある（例えば、特許文献１参照）。
【特許文献１】特開２００２−９１５５３号公報
【発明の開示】
【発明が解決しようとする課題】
【０００５】
しかし、カスタマイズデータの設定に関しては手作業での編集であり、かつソフトウェア開発担当者並みの知識がないと設定できない状態であり、エンジニアによるカスタマイズデータの作成が困難な状態である。
【０００６】
エンジニアからカスタマイズデータ作成者への指示は図書にて行っているが、担当者間での意思疎通がうまくいかないことがあり、カスタマイズデータと図書とが一致しないといった設定ミスが発生することがあった。
【０００７】
また、カスタマイズ可能な範囲が明確でないために、機能の差異をカスタマイズデータの設定のみで吸収できるかどうかは、ソフトウェアの開発担当者が調査しないと判断できない状態であり、標準ソフトウェアの改造が必要か否かエンジニアによって判断できないことがあった。
【０００８】
本発明の目的は、自動的にデータのカスタマイズができるカスタマイズ機能を有したプラント監視装置及びプラント監視システムを得ることである。
【課題を解決するための手段】
【０００９】
本発明のプラント監視装置は、プラントを計算機を用いて監視するプラント監視装置において、仕様書の雛型に埋め込まれたカスタマイズ項目にデータを入力するためのカスタマイズ入力用画面の画面データを作成するカスタマイズ設定画面作成手段と、前記カスタマイズ設定画面作成手段で作成された画面データを用いて表示装置に前記カスタマイズ入力用画面を表示し、前記カスタマイズ入力用画面のカスタマイズ項目が選択入力であるときは予め定義した選択データを選択し、前記カスタマイズ項目が文字列入力であるときは文字列を入力して仕様書データとカスタマイズデータとを作成するカスタマイズ設定手段とを備えたことを特徴とする。
【００１０】
本発明のプラント監視システムは、プラントを計算機を用いて監視するプラント監視装置と、カスタマイズ入力用画面を用いてカスタマイズ項目を選択／入力して仕様書データとカスタマイズデータとを作成するカスタマイズ装置と、前記カスタマイズ装置で作成したカスタマイズデータを前記プラント監視装置へ配信するカスタマイズデータ配信手段とを備え、前記カスタマイズ装置は、仕様書の雛型に埋め込まれたカスタマイズ項目にデータを入力するためのカスタマイズ入力用画面の画面データを作成するカスタマイズ設定画面作成手段と、  前記カスタマイズ設定画面作成手段で作成された画面データを用いて表示装置に前記カスタマイズ入力用画面を表示し、前記カスタマイズ入力用画面のカスタマイズ項目が選択入力であるときは予め定義した選択データを選択し、前記カスタマイズ項目が文字列入力であるときは文字列を入力して仕様書データとカスタマイズデータとを作成するカスタマイズ設定手段とを備えたことを特徴とする。
【発明の効果】
【００１１】
本発明のプラント監視装置によれば、エンジニアが仕様に見合うように、カスタマイズ項目を選択／入力していくだけで、仕様書データとそれと完全に一致したカスタマイズデータとができるので、カスタマイズデータの設定ミスが解消できる。また、エンジニアにて仕様がカスタマイズで対応できる範囲か否かを容易に判断できる。
【００１２】
本発明のプラント監視システムによれば、プラント監視装置とカスタマイズ装置とを分離するので、１つのカスタマイズ装置から複数のプラント監視装置または複数の計算機へカスタマイズデータを配信できる。
【発明を実施するための最良の形態】
【００１３】
（第１の実施の形態）
図１は本発明の第１の実施の形態に係わるプラント監視装置のブロック構成図である。図１では、プラント監視装置１１のプラント監視機能については図示を省略し、カスタマイズ機能についてのみ図示している。
【００１４】
図１に示すように、プラント監視装置１１は、仕様書の雛型１２と、カスタマイズ項目として選択する項目を定義した選択データ１３と、カスタマイズデータの雛型１４とを予め記憶しており、カスタマイズ設定画面作成手段１５は仕様書の雛型１２及び選択データ１３に基づいて、カスタマイズ項目の選択や入力を行うための画面データ１６を作成する。カスタマイズ設定手段１７はカスタマイズ設定画面作成手段１５で作成された画面データ１６を表示装置１８へ表示し、操作員により入力装置１９からカスタマイズ項目の選択や入力が行われると、カスタマイズデータの雛型１４に基づいて仕様書データ２０とカスタマイズデータ２１とを作成する。そして、必要に応じて仕様書データ２０を仕様書２２として印字出力する。
【００１５】
図２は表示装置１８に表示されるカスタマイズ入力用画面２３の詳細図である。仕様書の雛型１２は機能別に使用内容が記述されており、図２では機能１、機能２、機能３の３個の機能を有した場合を示している。そして、機能１及び機能２の文章中にカスタマイズ項目（%XXX、%YYY、%ZZZなど）が埋め込まれている。仕様書の雛型１２のカスタマイズ（%XXX、%YYY、%ZZZなど）部分がカスタマイズ入力用画面２３に示すように選択入力となる。ここで、カスタマイズ項目を示す文字として%を用いているが、%以外の文字でも可能であることは言うまでもない。
【００１６】
カスタマイズ項目（%XXX、%YYY、%ZZZなど）の選択肢は選択データ１３に定義される。また、カスタマイズ項目の入力方法についても、選択入力／数値入力／文字列入力を指定できるように選択データ１３に入力方法を設定する。
【００１７】
例えば、カスタマイズ項目（%XXX）は、タイプがリスト（選択入力）であり、仕様書データとカスタマイズデータとが定義されている。図２では、仕様書データとしてアラーム用プリンタとログ用プリンタとが定義され、カスタマイズデータとしてALMPRTとLOGPRTとが定義されている。カスタマイズ項目（%YYY）は、タイプがリスト（選択入力）であり、仕様書データとして３０秒と１分とが定義され、カスタマイズデータとして３０と６０とが定義されている。カスタマイズ項目（%ZZZ）は、タイプがＰＩＤ（文字列入力）であることが定義される。
【００１８】
この選択データの設定によって、図２に示すようなカスタマイズ入力用画面２３が作成される。このカスタマイズ入力用画面２３のカスタマイズ項目を仕様に合わせて選択することで仕様書を完成させる。例えば、カスタマイズ項目（%XXX）としてアラーム用プリンタを選択し、カスタマイズ項目（%YYY）として１分を選択し、カスタマイズ項目（%ZZZ）としてＰＩＤを特定する「ＡＡ０００」を入力する。
【００１９】
そして、保存を実行することで、カスタマイズ設定手段１７はカスタマイズデータの雛型１４に基づいて仕様書データ２０とカスタマイズデータ２１とを作成する。生成された仕様書データ２０は必要に応じて印字出力され、仕様書２２ができ上がる。
【００２０】
例えば、カスタマイズ入力用画面２３には、カスタマイズ項目（%XXX）の選択肢として選択データ１３の仕様書用データ（アラーム用プリンタ、ログ用プリンタ）が表示されるので、いずれかを選択する。前述のように、アラーム用プリンタを選択したとすると、カスタマイズ設定手段１７はカスタマイズデータの雛型１４に基づいて仕様書データ２０のカスタマイズ項目(%XXX)の部分には、「アラーム用プリンタ」を埋め込む。また、カスタマイズデータ２１には、「アラーム用プリンタ」に対応した選択データ１３のカスタマイズデータ「ALMPRT」が設定される。このようにして、カスタマイズ設定手段１７は仕様書データ２０とカスタマイズデータ２１とを作成する。
【００２１】
第１の実施の形態によれば、エンジニアが仕様に見合うように、カスタマイズ項目を選択／入力していくだけで、仕様書とそれと一致したカスタマイズデータができるので、カスタマイズデータの設定ミスによる問題が解消する。また、エンジニアにて仕様がカスタマイズで対応できる範囲か否かをカスタマイズ入力用画面２３を見るだけで判断することができる。
【００２２】
（第２の実施の形態）
図３は本発明の第２の実施の形態に係わるプラント監視装置のブロック構成図である。この第２の実施の形態は、図１に示した第１の実施の形態に対し、仕様書データ２０とカスタマイズデータ２１との変更履歴を作成する変更管理手段２４と、変更箇所や変更日などを記録する変更履歴データ２５とを追加して設けたものである。図１に示した第１の実施の形態と同一要素には同一符号を付し重複する説明は省略する。
【００２３】
変更管理手段２４は、カスタマイズ設定手段１７で今回作成した仕様書データ２０及びカスタマイズデータ２１と、前回作成した仕様書データ２０及びカスタマイズデータ２１とを比較し、変更箇所や変更理由などを履歴として管理し、変更箇所や変更理由、さらには変更日、変更者などを変更履歴データ２５に記録する。これにより、仕様書データの変更履歴が作成できる。
【００２４】
第２の実施の形態によれば、仕様書データとカスタマイズデータとの両方の変更履歴を１つの変更記録として残すことができ、変更者、変更日時、変更箇所などを残すのでレビジョン管理が可能となり、最新データがどのレビジョンであるかが明確になる。
【００２５】
（第３の実施の形態）
図４は本発明の第３の実施の形態に係わるプラント監視装置のブロック構成図である。この第３の実施の形態は、図１に示した第１の実施の形態に対し、カスタマイズ設定手段１７で選択した項目に応じた試験方案を作成する試験方案作成手段２６と、試験方案作成手段２６にて作成された試験方案データ２７とを追加して設け、試験方案データ２７を印字出力して試験方案（紙）２８を得るようにしたものである。図１に示した第１の実施の形態と同一要素には同一符号を付し重複する説明は省略する。
【００２６】
試験方案作成手段２６は、カスタマイズ設定手段１７で作成した仕様書データ２０とカスタマイズデータ２１との設定内容に応じて試験方案を作成するものである。選択データ１３には、予めカスタマイズ項目ごとに試験方案データ２７が記憶されており、カスタマイズ設定手段１７でカスタマイズ項目を選択する際に、試験方案作成手段２６は、選択されたカスタマイズ項目に応じて選択データ１３の試験方案データ２７を試験方案に埋め込むことで試験方案を作成する。従って、仕様書データ２０とカスタマイズデータ２１とに対応した試験方案を自動的に生成できる。
【００２７】
第３の実施の形態によれば、カスタマイズデータ設定手段１７によってカスタマイズ項目を選択することで、対応する試験方案が自動的に作成されるので、試験方案作成の作業が削減できる。また、試験方案の漏れや試験方案の記載ミスも削減される。
【００２８】
（第４の実施の形態）
図５は本発明の第４の実施の形態に係わるプラント監視装置のブロック構成図である。この第４の実施の形態は、図４に示した第３の実施の形態に対し、仕様書データ２０とカスタマイズデータ２１との変更履歴を作成する変更管理手段２４と、変更箇所や変更日などを記録する変更履歴データ２５とを追加して設けたものである。図４に示した第３の実施の形態と同一要素には同一符号を付し重複する説明は省略する。
【００２９】
変更管理手段２４は、カスタマイズ設定手段１７で今回作成した仕様書データ２０及びカスタマイズデータ２１と、前回作成した仕様書データ２０及びカスタマイズデータ２１とを比較し、変更箇所などを履歴として管理し、その変更履歴データ２５に記録する。一方、試験方案作成手段２６は、変更履歴データ２５より変更箇所のみの試験方案を作成する。従って、仕様書データとカスタマイズデータとの変更箇所のみに対する試験方案を自動的に生成できる。
【００３０】
第４の実施の形態によれば、カスタマイズデータ２１を変更したときに、その変更箇所に対する試験方案が自動的に作成され、試験方案作成の作業が削減できる。また、変更箇所のみの試験に絞られるので無駄がない試験を行うことができる。
【００３１】
（第５の実施の形態）
図６は本発明の第５の実施の形態に係わるプラント監視装置のブロック構成図である。この第５の実施の形態は、図１に示した第１の実施の形態に対し、カスタマイズ設定手段１７で選択／入力した項目の設定可能な範囲である条件を定めた設定適合条件２９と、カスタマイズ設定手段１７で選択／入力した項目が設定適合条件２９に適合しているか否かを確認するカスタマイズ設定適合確認手段３０とを追加して設けたものである。図１に示した第１の実施の形態と同一要素には同一符号を付し重複する説明は省略する。
【００３２】
設定適合条件２９には、カスタマイズ設定手段１７で選択して入力した項目が設定可能な範囲である条件を予め設定しておく。そして、カスタマイズ設定適合確認手段３０は、設定適合条件２９に基づいて、カスタマイズ設定手段１７で選択して入力したカスタマイズ項目が設定可能であるか否かを確認する。そして、カスタマイズ設定内容が設定不可能なデータであるときは、例えば選択設定エラーを表示出力する。
【００３３】
第６の実施の形態によれば、カスタマイズデータ設定手段１７で選択して入力した項目が適切な内容であるかを自動的に確認できるので、カスタマイズデータ２１には設定不可能な設定が行えなくなる。従って、設定ミスを防ぐことが可能となる。
【００３４】
（第６の実施の形態）
図７は本発明の第６の実施の形態に係わるプラント監視システムのブロック構成図である。この第６の実施の形態は、図１に示した第１の実施の形態に対し、プラント監視装置１１内に形成したカスタマイズ機能をプラント監視装置１１から分離し、カスタマイズ機能をカスタマイズ装置３１に形成するようにしたものである。図６では、プラント監視装置１１のプラント監視機能については図示を省略している。
【００３５】
図７に示すように、カスタマイズ装置３１は、仕様書の雛型１２と、カスタマイズ項目として選択する項目を定義した選択データ１３と、カスタマイズデータの雛型１４とを予め記憶しており、カスタマイズデータ設定用の画面を作成するカスタマイズ設定画面作成手段１５と、カスタマイズ設定画面作成手段１５で作成された画面データ１６を用いて項目を選択して仕様書データ２０とカスタマイズデータ２１とを作成するカスタマイズ設定手段１７とを備えている。
【００３６】
そして、カスタマイズ設定手段１７はカスタマイズ設定画面作成手段１５で作成された画面データ１６を表示装置１８へ表示し、操作員により入力装置１９からカスタマイズ項目の選択や入力が行われると、カスタマイズデータの雛型１４に基づいて仕様書データ２０とカスタマイズデータ２１とを作成する。そして、必要に応じて仕様書データ２０を仕様書２２として印字出力する。
【００３７】
そして、カスタマイズ装置３１で作成したカスタマイズデータ２１は、カスタマイズデータ配信手段３２により、カスタマイズ装置３１からプラント監視装置１１へ配信される。これにより、プラント監視装置１１はカスタマイズ装置３１から配信されたデータであるカスタマイズデータのコピー３３を保持することになる。
【００３８】
第６の実施の形態によれば、プラント監視装置１１とカスタマイズ装置３１とを分離できるので、１つのカスタマイズ装置３１から複数のプラント監視装置１１へのカスタマイズデータ配信も可能となる。
【００３９】
（第７の実施の形態）
図８は本発明の第７の実施の形態に係わるプラント監視システムのブロック構成図である。この第７の実施の形態は、図７に示した第６の実施の形態に対し、カスタマイズデータ２１に対応したプラント監視装置１１のソフトウェアが投入されているかを確認して配信を許可するカスタマイズデータ配信可否チェック手段３４を追加して設けたものである。
【００４０】
カスタマイズデータ配信可否チェック手段３４は、カスタマイズデータ２１を読み込むプラント監視装置１１のソフトウェアがカスタマイズデータ配信手段３２により配信するカスタマイズデータ２１を正しく読み込めるかどうかを自動的に確認する。カスタマイズデータ配信手段３２により配信するカスタマイズデータ２１を正しく読み込めないときは、その旨を通知する。
【００４１】
第７の実施の形態によれば、カスタマイズデータ２１とプラント監視装置１１のソフトウェアとが対応せず、生成したカスタマイズデータ２１の設定通りにプラント監視装置１１が動作しない状態に至らないかを配信前に確認できるので、プラント監視装置１１のソフトウェアがカスタマイズデータ２１を正しく読み込んで動作することを保証できる。
【００４２】
（第８の実施の形態）
図９は本発明の第８の実施の形態に係わるプラント監視システムのブロック構成図である。この第８の実施の形態は、図８に示した第７の実施の形態に対し、プラント監視装置１１にあるカスタマイズデータのコピー３３をカスタマイズ装置３１へ読み込むカスタマイズデータ採取手段３５と、カスタマイズデータ採取手段３５で採取したカスタマイズデータ２１から仕様書データ２０を逆生成する仕様書逆生成手段３６とを追加して設けたものである。
【００４３】
カスタマイズ装置３１が故障した場合には、カスタマイズデータ採取手段３５は、プラント監視装置１１のカスタマイズデータのコピー３３を採取し、カスタマイズ装置３１のカスタマイズデータ２１に送信する。そして、仕様書逆生成手段３６は、プラント監視装置１１のカスタマイズデータのコピー３３から編集したカスタマイズデータ２１の内容を後で仕様書データ２０の方へ反映する。
【００４４】
第９の実施の形態によれば、カスタマイズ装置３１が故障したとしても、プラント監視装置１１のカスタマイズデータのコピー３３を直接編集できるので、後で仕様書の方へ反映することが可能になる。仕様書データ２０とカスタマイズデータ２１とが不一致となった状態から一致状態へ復帰することができる。
【図面の簡単な説明】
【００４５】
【図１】本発明の第１の実施の形態に係わるプラント監視装置のブロック構成図。
【図２】本発明の第１の実施の形態における表示装置に表示されるカスタマイズ入力用画面の詳細図。
【図３】本発明の第２の実施の形態に係わるプラント監視装置のブロック構成図。
【図４】本発明の第３の実施の形態に係わるプラント監視装置のブロック構成図。
【図５】本発明の第４の実施の形態に係わるプラント監視装置のブロック構成図。
【図６】本発明の第５の実施の形態に係わるプラント監視装置のブロック構成図。
【図７】本発明の第６の実施の形態に係わるプラント監視システムのブロック構成図。
【図８】本発明の第７の実施の形態に係わるプラント監視システムのブロック構成図。
【図９】本発明の第８の実施の形態に係わるプラント監視システムのブロック構成図。
【符号の説明】
【００４６】
１１…プラント監視装置、１２…仕様書の雛型、１３…選択データ、１４…カスタマイズデータの雛型、１５…カスタマイズデータ設定画面作成手段、１６…画面データ、１７…カスタマイズ設定手段、１８…表示装置、１９…入力装置、２０…仕様書データ、２１…カスタマイズデータ、２２…仕様書、２３…カスタマイズ入力用画面、２４…変更管理手段、２５…変更履歴データ、２６…試験方案作成手段、２７…試験方案データ、２８…試験方案、２９…設定適合条件、３０…カスタマイズ設定適合確認手段、３１…カスタマイズ装置、３２…カスタマイズデータ配信手段、３３…カスタマイズデータのコピー、３４…カスタマイズデータ配信可否チェック手段、３５…カスタマイズデータ採取手段、３６…仕様書逆生成手段
【図１】
0004619995.tif 000002
【図２】
0004619995.tif 000003
【図３】
0004619995.tif 000004
【図４】
0004619995.tif 000005
【図５】
0004619995.tif 000006
【図６】
0004619995.tif 000007
【図７】
0004619995.tif 000008
【図８】
0004619995.tif 000009
【図９】
0004619995.tif 000010